(57)【要約】【課題】靴下や肌着等のインナーウエアを着用しているときに、その端部の編み組織が捲れにくくし、着用者が着用時に感じる不快感や違和感を少なくするとともに、着用者が感じる肌に着用している靴下や肌着等のインナーウエアの縁取り部分の線が外部に露見しているのではないかという不安を取り除くシングルウエルトの編成方法、シングルウエルト組織及びシングルウエルト組織を有する被服を提供する。【解決手段】編み始め又は編み終わり端部に弾性糸のみからなるコース方向に袋状に編成したマカロニエッジ組織を編成し、次いで編地の表面が隣接するウエールに対していずれか一方のウエールがウエール方向に収縮し、他方のウエールがウエール方向外側に隆起するようにし、編地の外側に捲れないようにウエルト編地を３口又は４口編成のシングル編み組織に編成するシングルウエルトの編成方法及びシングルウエルト組織を有する被服を構成するものである。【選択図】図２
2008248442.tif 000002
【特許請求の範囲】
【請求項１】
編み始め又は編み終わり端部に弾性糸のみからなるコース方向に袋状に編成したマカロニエッジ組織を編成し、次いで編地の表面が隣接するウエールに対していずれか一方のウエールがウエール方向に収縮し、他方のウエールがウエール方向外側に隆起するようにし、編地の外側に捲れないようにウエルト編地を３口又は４口編成のシングル編み組織に編成することを特徴するシングルウエルトの編成方法。
【請求項２】
前記マカロニエッジ組織は、第１コースの糸で編針１本おきに平編目を編成し、第２コースの糸で全編針を平編目に編成し、第３コースから数コースの糸で編針１本おきに平編目を編成し、最後のコースで第２コース以降休止させていた編針を含む全編針を復帰させ平編目に編成して袋編に編成することを特徴とする請求項１記載のシングルウエルトの編成方法。
【請求項３】
前記ウエルト編地組織は、第１コースは編針１本おきに平編目を編成し、第２コースは平編とタック編を交互に編成し、第３コースは全編針を平編に編成する３コースを１単位として繰り返し編成することを特徴とする請求項１記載のシングルウエルトの編成方法。
【請求項４】
前記ウエルト編地組織は、第１コース１は編針１本おきに平編目を編成し、第２コース２は平編とタック編を交互に編成し、第３コース３はナイロン双糸に綿糸をプレーティングして全編針を平編に編成する３コースを１単位として繰り返し編成することを特徴とする請求項１記載のシングルウエルトの編成方法。
【請求項５】
前記ウエルト編地組織は、第１コースは編針１本おきに平編目を編成し、第２コースは平編とタック編を交互に編成し、第３コースの糸で全編針を平編に編成し、第４コースは平編とタック編を交互に編成する４コースを１単位として繰り返し編成することを特徴とする請求項１記載のシングルウエルトの編成方法。
【請求項６】
前記ウエルト編地組織は、第１コース１は編針１本おきに平編目を編成し、第２コース２は平編とタック編を交互に編成し、第３コース３はナイロン双糸に綿糸をプレーティング（添え糸）して全編針を平編に編成し、第４コース３は第２コース２と同様に、平編とタック編を交互に編成し、４コースを１単位として繰り返し編成することを特徴とする請求項１記載のシングルウエルトの編成方法。
【請求項７】
前記シングルウエルトの編成方法は、１０〜１４０デニールのポリウレタン弾性糸からなる芯糸に１０〜１４０デニールのナイロンフィラメント糸又はウーリーナイロン糸をカバリングしたシングル又はダブルカバリング糸からなる編糸と、１０〜１４０デニールのナイロ双糸又は１００〜４０番手の綿糸との交編により編成された請求項１記載のシングルウエルトの編成方法。
【請求項８】
前記シングルウエルトの編成方法は、１０〜１４０デニールのポリウレタン弾性糸からなる芯糸に１０〜１４０デニールのナイロンフィラメント糸又はウーリーナイロン糸をカバリングしたシングル又はダブルカバリング糸からなる編糸と、１０〜１４０デニールのナイロ双糸と１００〜４０番手の綿糸とのプレーティングによる交編により編成された請求項１記載のシングルウエルトの編成方法。
【請求項９】
前記シングルウエルトの編成方法は、１０〜１４０デニールのポリウレタン弾性糸からなる芯糸に１０〜１４０デニールのナイロンフィラメント糸又はウーリーナイロン糸をカバリングしたシングル又はダブルカバリング糸からなる編糸のコースに、１０〜７０デニールのポリウレタン弾性糸からなる芯糸に１０〜１４０デニールのナイロンフィラメント糸又はウーリーナイロン糸をカバリングしたシングルカバリング糸を一部又は全部にプレーティングしたコースとの交編により編成された請求項１記載のシングルウエルトの編成方法。
【請求項１０】
前記シングルウエルトの編成方法は、１０〜１４０デニールのポリウレタン弾性糸からなる芯糸に１０〜１４０デニールのナイロンフィラメント糸又はウーリーナイロン糸をカバリングしたシングル又はダブルカバリング糸からなる編糸のコースに、１０〜７０デニールのポリウレタン弾性糸からなる芯糸に１０〜１４０デニールのナイロンフィラメント糸又はウーリーナイロン糸をカバリングしたシングルカバリング糸を一部又は全部にプレーティングしたコースと、１０〜１４０デニールのナイロ双糸と１００〜４０番手の綿糸とをプレーティングしたコースとの交編により編成されたの交編により編成された請求項１記載のシングルウエルトの編成方法。
【請求項１１】
編み始め又は編み終わり端部に弾性糸のみからなるコース方向に袋状に編成したマカロニエッジ組織と、編地の表面が隣接するウエールに対していずれか一方のウエールがウエール方向に収縮し、他方のウエールがウエール方向外側に隆起するようにし、編地の外側に捲れないようにウエルト編地を３口又は４口編成のシングル編み組織とからなることを特徴するシングルウエルト組織。
【請求項１２】
編み始め又は編み終わり端部に弾性糸のみからなるコース方向に袋状に編成したマカロニエッジ組織と、編地の表面が隣接するウエールに対していずれか一方のウエールがウエール方向に収縮し、他方のウエールがウエール方向外側に隆起するようにし、編地の外側に捲れないようにウエルト編地を３口又は４口編成のシングル編み組織とからなるシングルウエルト組織を有する肌着、スパッツ、ガードル、ブラジャ、靴下等の被服。
【発明の詳細な説明】
【技術分野】
【０００１】
本発明は、シングルウエルトの編成方法、シングルウエルト組織及びシングルウエルト組織を有する被服に関するものである。
【背景技術】
【０００２】
肌着、スパッツ、ガードル、ブラジャ、靴下等の被服は、編み始め又は編み終わり端部のウエルト部は、丸編機によって筒状に編成し、編成した編地を折り返しても二重の編地を形成している。特に、肌着、スパッツ、ガードル、靴下等の被服は、足口のウエルト部が編地を折り返した二重の編地になってぶ厚いと外衣を介して肌着が現出するので、外観が悪い。
【０００３】
そこで、編み始め又は編み終わり端部のウエルト部を１枚の編地に編成することが考案されている。すなわち、第１コースの糸で編針１本おきに平編目を編成し、第２コースの糸で全編針によって前記平編目に編みかけた平編目とその中間に平編目を形成し、第３の糸で再び編針１本おきに平編目を編成し、以下数十コースを同じ編成をし、このコースの平編目の中間のシンカーループと平編目の間のシンカーループとをタック編みに編成するシングルウエルトの編成方法が引用文献１に記載されている。
【特許文献１】実公昭４８−１２７７９号公報
【０００４】
また、編み始めの止め編み部分はニットとミスとからなるコースを弾性糸で編成し、止め編み部分に連続するウエルト部分は地糸で編成した複数のコースからなり、止め編み部分に連続する複数のコースはニットとミスとを繰り返すタック入り重美部とし、これに連続する複数のコースではタックを交えた身頃締め付け部とし、身頃締め付け部の複数のコースは、ニットとミスからなるコース、ニットとミスとタックからなるコース、ミスとタックからなるコース、ニットとミスとタックからなるコースを順次備え、かつこれを繰り返している端末組織も公知である。
【特許文献２】特許第３４７０１２０号公報
【０００５】
しかしながら、特許文献１及び特許文献２に記載されたものは、依然として端末組織が平編みであるから外側に捲れやすい。
【発明の開示】
【発明が解決しようとする課題】
【０００６】
上記の事情に鑑み、本発明は、靴下や肌着等のインナーウエアを着用しているときに、その端部の編み組織が捲れにくくし、着用者が着用時に感じる不快感や違和感を少なくするとともに、着用者が感じる肌に着用している靴下や肌着等のインナーウエアの縁取り部分の線が外部に露見しているのではないかという不安を取り除くシングルウエルトの編成方法、シングルウエルト組織及びシングルウエルト組織を有する被服を提供することを課題とするものである。
【課題を解決するための手段】
【０００７】
本発明は上記目的を達成するために、編み始め又は編み終わり端部に弾性糸のみからなるコース方向に袋状に編成したマカロニエッジ組織を編成し、次いで編地の表面が隣接するウエールに対していずれか一方のウエールがウエール方向に収縮し、他方のウエールがウエール方向外側に隆起するようにし、編地の外側に捲れないようにアンチロール・ヘムを形成するウエルト編地を３口又は４口編成のシングル編み組織に編成するシングルウエルトの編成方法を構成するものである。
【０００８】
ここで、マカロニエッジ組織とは、外見は紐状に見えるが、実際には緯方向（コース方向）にチゥーブ状に編成されている編組織をいい、アンチロール・ヘムとは、上記のように、従来から知られているウエルト又はダブル・ウエルトと区別するために、編地の外側に捲れないようにウエルト編地を３口又は４口に編成されたシングル編み組織をいう。
【０００９】
本発明は、具体的には、前記マカロニエッジ組織においては、第１コースの糸で編針１本おきに平編目を編成し、第２コースの糸で全編針を平編目に編成し、第３コースから数コースの糸で編針１本おきに平編目を編成し、最後のコースで第２コース以降休止させていた編針を含む全編針を復帰させ平編目に編成して袋編に編成する。
【００１０】
前記アンチロール・ヘムであるウエルト編組織は、３コースを１単位として繰り返し編成する場合は、第１コースは編針１本おきに平編目を編成し、第２コースは平編とタック編を交互に編成し、第３コースは全編針を平編に編成し、４コースを１単位として繰り返し編成する場合は、第１コースは編針１本おきに平編目を編成し、第２コースは平編とタック編を交互に編成し、第３コースの糸で全編針を平編に編成し、第４コースは平編とタック編を交互に編成するものである。
【００１１】
前記シングルウエルトの編成方法において、前記３コースを１単位として繰り返し編成する組織は、第１コースでは、例えば７０〜２１０デニールのポリウレタン弾性糸からなる芯糸に１０〜８０デニールのナイロンフィラメント糸又はウーリーナイロン糸をカバリングしたダブルカバリング糸からなる編糸を編針によって１本おきにクリアーの位置に上げて編成し、第２コースでは、３０〜５０デニールのナイロ双糸により平編とタック編とを交互に繰り返して編成する。ここで重要な点は、平編を編成する編針は第１コースでは編成に関与していない編針である。つまり、第１コースで平編を編成する編針は、第２コースでは、必ずタック編で編成しなければならない。
第３コースでは、例えば３０〜５０デニールのナイロ双糸により平編を編成する。
【００１２】
ここでベラ針による編地の編成は、図１に示すように、（イ）において編針がクリアー・カムにより押し上げられ、既成の編目Ａよりベラがはずれ、次に編針のフックに新しい糸Ｂが供給される。図１（ロ）で度山により編針が引き下げられ、既成の編目によりベラが起こされ、新たに供給された糸Ｂは、編針のフックの中に閉じ込められる。図１（ハ）で更に編針が度山で引き下げられることにより、既成の編目は編針のフックよりはずれ、新しい編目が形成される。次で図１（ニ）で編針は再び押し上げられ図１（イ）の動作に戻りこの繰り返しにより編成が行われる。
【００１３】
図１（イ）に示すように、編針がクリアー・カムにより押し上げられ、既成の編目Ａよりベラがはずれる高さをクリアー高さといい、クリアー高さにある編針の位置をクリアー位置という。また、図１（ハ）に示すように、編針が度山で引き下げられ、既成の編目が編針のフックよりはずれ、古い編目が編針のフックよりはずれることをクリアーされるという。
【００１４】
このような編成方法によって、編成された編地は、第３コースでの平編目が、弾性糸からなる第１コースの編成されなかった編目を飛び越えて第２コースの編糸と編成される。更に、第１コースの弾性糸が次の第２コースのタック編の編目の編成時にタック編目ととも第３コースで編目を編成し、第１コースの編目の張力で編目が収縮し、この結果、この前後の編目が弛んで編地の表側に隆起してくる。
これが編地表面の縦方向の分量が増加することとなり、編地が外側に巻きにくくなる効果を生じる。
【００１５】
前記シングルウエルトの編成方法において、４コースを１単位として繰り返し編成する組織は、第１コースでは、例えば、７０〜２１０デニールのポリウレタン弾性糸からなる芯糸に１０〜８０デニールのナイロンフィラメント糸又はウーリーナイロン糸をカバリングしたダブルカバリング糸からなる編糸を編針によって１本おきにクリアーの位置に上げて編成し、第２コースでは、３０〜５０デニールのナイロ双糸により平編とタック編とを交互に繰り返して編成する。ここで重要な点は、平編を編成する編針は第１コースでは編成に関与していない編針である。つまり、第１コースで平編を編成する編針は、第２コースでは、必ずタック編で編成しなければならない。
第３コースでは、例えば３０〜５０デニールのナイロ双糸により平編を編成する。第４コースでは、第２コースと同様に、３０〜５０デニールのナイロ双糸により平編とタック編とを交互に繰り返して編成する。
【００１６】
上記のような編成方法によって、編成された編地は、第３コースと第４コースでの平編目が、弾性糸からなる第１コースの編成されなかった編目を飛び越えて第２コースの編糸と編成される。更に、第１コースの弾性糸が次の第２コースのタック編の編目の編成時にタック編目ととも第３コースで編目を編成し、第１コースの弾性糸による編目の張力で編目が収縮し、この結果、この連続した３個の編目が弛んで編地の表側に大きく隆起してくる。
これが編地表面の縦方向の分量が増幅することとなり、編地が外側に巻きにくくなる効果を生じる。
【００１７】
本発明による糸使いは必要に応じて自由に選択できる。例えば、編地の糸使いは、１０〜１４０デニールのポリウレタン弾性糸からなる芯糸に１０〜１４０デニールのナイロンフィラメント糸又はウーリーナイロン糸をカバリングしたシングル又はダブルカバリング糸からなる編糸と、１０〜１４０デニールのナイロ双糸又は１００〜４０番手の綿糸との交編により編成された編成方法であってもよい。
【００１８】
また、１０〜１４０デニールのポリウレタン弾性糸からなる芯糸に１０〜１４０デニールのナイロンフィラメント糸又はウーリーナイロン糸をカバリングしたシングル又はダブルカバリング糸からなる編糸と、１０〜１４０デニールのナイロ双糸と１００〜４０番手の綿糸とのプレーティングによる交編により編成された編成方法であってもよい。
【００１９】
更に、１０〜１４０デニールのポリウレタン弾性糸からなる芯糸に１０〜１４０デニールのナイロンフィラメント糸又はウーリーナイロン糸をカバリングしたシングル又はダブルカバリング糸からなる編糸のコースに、１０〜７０デニールのポリウレタン弾性糸からなる芯糸に１０〜１４０デニールのナイロンフィラメント糸又はウーリーナイロン糸をカバリングしたシングルカバリング糸を一部又は全部にプレーティングしたコースとの交編による編成方法でもよい。
【００２０】
このために、編地の編成に伴って、編み目を変化させるファッショニング装置、給糸時の解舒張力を一定に保つテンション装置、コンピュータ制御によって弾性糸の送り込み量を制御する積極給糸装置を装備した編み機によって編成する。例えば、ＭＥＲＺ、ＳＡＮＴＯＮＩ、ＬＯＮＡＴＩ社の編み機が使用される。
【発明の効果】
【００２１】
本発明は、編み始め又は編み終わり端部に弾性糸のみからなるコース方向に袋状に編成したマカロニエッジ組織を編成し、次いで編地の表面が隣接するウエールに対していずれか一方のウエールがウエール方向に収縮し、他方のウエールがウエール方向外側に隆起するように編成したので、編地の外側に捲れないようすることができる。
【発明を実施するための最良の形態】
【００２２】
以下、本発明の実施例を図面に基づいて詳しく説明する。
図１は、本発明のベラ針による編成工程を示す概略図、図２は、本発明のアンチロール・ヘム組織を有する概略図で、（イ）はその正面図、（ロ）はＡ−Ａ断面図である。図３は本発明のマカロニエッジ組織の一実施例を示す拡大図、図４は本発明の３コース単位のアンチロール・ヘム組織の一実施例を示す拡大図、図５は同他の実施例を示す拡大図、図６は本発明の４コース単位のアンチロール・ヘム組織の一実施例を示す拡大図、図７は同他の実施例を示す拡大図、図８は本発明のアンチロール・ヘム組織を配置した商品の概略図で、（イ）はブラジャ、（ロ）は靴下、（ハ）はガードルの概略図である。
【００２３】
図２に示すように、本発明のアンチロール・ヘム組織を有する概略図である。符号ａは弾性糸だけで編成された緯方向（コース方向）にチューブ状に形成されたマカロニエッジ組織の部分であり、（ｂ）はマカロニエッジ組織に続くアンチロール・ヘム組織の部分である。
【００２４】
（実施例１）
図３は本発明のマカロニエッジ組織の一実施例を示す拡大図である。図３に示すように、第１コース１の糸で編針１本おきに平編目を編成し、第２コース２，第３コース３の糸で全編針を平編目に編成し、第４コース４から数コースの糸で編針１本おきに平編目を編成した後、最後のコースｎで第２コース以降休止させていた編針を含む全編針を復帰させ平編目に編成して袋編に編成する。その結果、第３コース３の糸で休止していた編目によって第ｎコース全体が第３コース３の位置に引き寄せられ、第４コース４から第ｎコース間が裏編地を表面にしたチューブ状の編み組織を形成することになる。
マカロニエッジ組織の糸使いは、例えば、１０〜１４０デニールのポリウレタン弾性糸からなる芯糸に１０〜１４０デニールのナイロンフィラメント糸又はウーリーナイロン糸をカバリングしたシングル又はダブルカバリング糸からなる弾性糸のみからなる。
【００２５】
（実施例２）
図４は本発明のアンチロール・ヘム組織の３コース単位の一実施例を示す拡大図である。図４に示すように、第１コース１は編針１本おきに平編目を編成し、第２コース２は平編とタック編を交互に編成し、第３コース３は全編針を平編に編成する３コースを１単位として繰り返し編成する。第１コース１は、１４０デニールのポリウレタン弾性糸芯糸に１４０デニールのナイロンフィラメント糸をダブルカバリングしたＤＣＹ、第２コース２は１４０デニールのナイロン双糸で編成し、第３コース３は４０番手の綿糸で編成する。
【００２６】
図４に示すように、第３コース３の平編目ｃは、続く第１コース１の弾性糸が非編成なので、飛び越えて第２コース２の編糸でクリアーされる。また、第１コース１の弾性糸による平編目ｄは、第２コースのタック編目ｆとともに第３コース３の編糸でクリアーされる。
このような編成により、第１コース１の弾性糸による平編目ｄは、糸そのものの収縮力により引き戻されるので、このウエールは縦方向に収縮する。その結果、隣のウエールの連続した平編目ｃとｅが弛んで編地のあもて側に盛り上がってくるので、編地の表面が膨らむ効果を生じる。因みに、引き戻された弾性糸の平編目ｄは、事実上緯方向に直線に近い状態になる。
【００２７】
（実施例３）
図５は本発明のアンチロール・ヘム組織の３コース単位の他の実施例を示す拡大図である。図５に示すように、第１コース１は編針１本おきに平編目を編成し、第２コース２は平編とタック編を交互に編成し、第３コース３はナイロン双糸に綿糸をプレーティング（添え糸）して全編針を平編に編成する３コースを１単位として繰り返し編成する。第１コース１は、１００デニールのポリウレタン弾性糸芯糸に１００デニールのウーリーナイロン糸をダブルカバリングしたＤＣＹ、第２コース２は１００デニールのナイロン双糸で編成し、第３コース３は１００デニールのナイロン双糸と４０番手の綿糸とのプレーティング（添え糸）で編成する。
【００２８】
図５に示すように、第３コース３のナイロン双糸と綿糸とのプレーティング（添え糸）による平編目ｃは、続く第１コース１の弾性糸が非編成なので、飛び越えて第２コース２の編糸でクリアーされる。また、第１コース１の弾性糸による平編目ｄは、第２コースのタック編目ｆとともに第３コース３のプレーティング（添え糸）編糸でクリアーされる。
このような編成により、第１コース１の弾性糸による平編目ｄは、糸そのものの収縮力により引き戻されるので、このウエールは縦方向に収縮する。その結果、隣のウエールの連続した平編目ｃとｅが弛んで編地の表側に盛り上がってくるので、編地の表面が膨らむ効果を生じる。因みに、引き戻された弾性糸の平編目ｄは、事実上緯方向に直線に近い状態になる。
【００２９】
（実施例４）
図６は本発明のアンチロール・ヘム組織の４コース単位の一実施例を示す拡大図である。図６に示すように、第１コース１は編針１本おきに平編目を編成し、第２コース２は平編とタック編を交互に編成し、第３コース３の糸で全編針を平編に編成し、第４コースは平編とタック編を交互に編成する４コースを１単位として繰り返し編成する。
第１コース１は、２１０デニールのポリウレタン弾性糸芯糸に８０デニールのナイロンフィラメント糸をダブルカバリングしたＤＣＹ、第２コース２は５０デニールのナイロン双糸で編成し、第３コース３は４０番手の綿糸で編成し、第４コース２は５０デニールのナイロン双糸で編成する。
【００３０】
図６に示すように、第３コース３の平編目ｃは、続く第１コース１の弾性糸が非編成なので、飛び越えて第２コース２の編糸でクリアーされる。また、第１コース１の弾性糸による平編目ｄは、第２コースのタック編目ｆとともに第３コース３の編糸でクリアーされる。第４コース３の編糸は、第２コース２と同じ編針によって平編とタック編の交互の編成が行われ、タック編目は前の平編目とともに次ぎの弾性糸の平編目によってクリアーされ、平編目は第１コースを飛び越えて第２コースでクリアーされる。
【００３１】
このような編成により、第１コース１の弾性糸による平編目ｄは、糸そのものの収縮力により引き戻されるので、このウエールは縦方向に収縮する。その結果、隣のウエールの連続した平編目ｃとｅとｇが弛んで編地の表側に盛り上がってくるので、編地の表面が膨らむ効果を生じる。因みに、引き戻された弾性糸の平編目ｄは、事実上緯方向に直線に近い状態になる。
【００３２】
（実施例５）
図７は本発明のアンチロール・ヘム組織の４コース単位の他の実施例を示す拡大図である。図７に示すように、第１コース１は編針１本おきに平編目を編成し、第２コース２は平編とタック編を交互に編成し、第３コース３はナイロン双糸に綿糸をプレーティング（添え糸）して全編針を平編に編成し、第４コース３は第２コース２と同様に、平編とタック編を交互に編成し、４コースを１単位として繰り返し編成する。第１コース１は、５０デニールのポリウレタン弾性糸芯糸に５０デニールのウーリーナイロン糸をダブルカバリングしたＤＣＹ、第２コース２は５０デニールのナイロン双糸で平編とタック編を交互に編成し、第３コース３は５０デニールのナイロン双糸と４０番手の綿糸とのプレーティング（添え糸）で編成し、第４コース３は５０デニールのナイロン双糸で平編とタック編を交互に編成する。
【００３３】
図７に示すように、第３コース３のナイロン双糸と綿糸とのプレーティング（添え糸）による平編目ｃは、続く第１コース１の弾性糸が非編成なので、飛び越えて第２コース２の編糸でクリアーされる。また、第１コース１の弾性糸による平編目ｄは、第２コースのタック編目ｆとともに第３コース３のプレーティング（添え糸）編糸でクリアーされる。
このような編成により、第１コース１の弾性糸による平編目ｄは、糸そのものの収縮力により引き戻されるので、このウエールは縦方向に収縮する。その結果、隣のウエールの連続した平編目ｃとｅが弛んで編地のあもて側に盛り上がってくるので、編地の表面が膨らむ効果を生じる。因みに、引き戻された弾性糸の平編目ｄは、事実上緯方向に直線に近い状態になる。
交編とは、２種類以上の編糸を交互に組み合わせて編成した編地である。
【００３４】
編み組織を変更することにより保持効果を付加には、編地の編成に伴って、組織を変化させるファッショニング装置、給糸時の解除テンションを一定に保つテンション装置、コンピュータ制御によって弾性糸の送りこみ量を制御する積極給糸装置を装備した編機によって編成することができる。また、編地組織は、例えば、平編、メッシュ編、フロート編、タック編、タック編とフロート編との組み合わせ、カットボス編等によって編成することができる。
【産業上の利用可能性】
【００３５】
本発明は、図８に示すように、（イ）に示すようにブラジャ、（ロ）に示すように靴下、（ハ）に示すようにガードル等の肌着に広く使用され、日常の保温用を始め、スポ−ツ用や介護用にも、広く利用しうるものである。
【図面の簡単な説明】
【００３６】
【図１】本発明のベラ針による編成工程を示す概略図である。
【図２】本発明のアンチロール・ヘム組織を有する概略図で、（イ）はその正面図、（ロ）はＡ−Ａ断面図である。
【図３】本発明のマカロニエッジ組織の一実施例を示す拡大図である。
【図４】本発明の３コース単位のアンチロール・ヘム組織の一実施例を示す拡大図である。
【図５】同他の実施例を示す拡大図である。
【図６】本発明の４コース単位のアンチロール・ヘム組織の一実施例を示す拡大図である。図７は同足底張力弛緩部の一実施例を示す組織図である。
【図７】同他の実施例を示す拡大図である。
【図８】本発明のアンチロール・ヘム組織を配置した商品の概略図で、（イ）はブラジャ、（ロ）は靴下、（ハ）はガードルの概略図である。
【符号の説明】
【００３７】
ａ      マカロニエッジ組織部
ｂ      アンチロール・ヘム組織部
【図１】
2008248442.tif 000003
【図２】
2008248442.tif 000004
【図３】
2008248442.tif 000005
【図４】
2008248442.tif 000006
【図５】
2008248442.tif 000007
【図６】
2008248442.tif 000008
【図７】
2008248442.tif 000009
【図８】
2008248442.tif 000010